(57)【要約】【課題】  可変表示部の前面もしくは左右両側に透明スピーカを設けることで、透明スピーカが遊技者に対して正面の位置になり、遊技者に対してより臨場感のある音の演出を行うことができる遊技機を提供することを目的とする。【解決手段】  中部パネル２０４に液晶表示装置を設けることで、遊技者に対して子役や特別役に当選の告知の演出画像や遊技進行を説明する遊技説明画像を液晶表示する。さらに、透過窓２０８の両側に透明スピーカを配置することで、透明スピーカ２０４Ｌ，Ｒが遊技者に対して正面となる位置になり、遊技者は臨場感のある音を体感することができる。【選択図】  図１
2005110942.tif 000002
【特許請求の範囲】
【請求項１】
複数の図柄を可変表示する可変表示部と、該可変表示部を透視可能なように前記可変表示部の前面に取り付けられる枠体とを有する遊技機において、
音を出力する板状の振動板を有するパネル型スピーカと、
前記パネル型スピーカを支持するための支持部材とを備え、
前記支持部材によって前記パネル型スピーカを前記枠体に取り付け、前記遊技機の演出に関連する音を出力することを特徴とする遊技機。
【請求項２】
前記振動板及び前記支持部材は透明部材で構成されていることを特徴とする請求項１記載際の遊技機。
【請求項３】
前記パネル型スピーカは、前記可変表示部の全面もしくは左右両側に配置されていることを特徴とする請求項１または２記載の遊技機。
【請求項４】
前記パネル型スピーカ及び前記支持部材は、薄膜状であることを特徴とする請求項１から３のいずれか１項に記載の遊技機。
【請求項５】
前記可変表示部の左右両側に配置された前記パネル型スピーカは、左右両側もしくは片側のみから音を出力することができることを特徴とする請求項４記載の遊技機。
【請求項６】
前記枠体は、全面に画像表示するための液晶表示手段を有することを特徴とする請求項１から５のいずれか１項に記載の遊技機。
【発明の詳細な説明】
【技術分野】
【０００１】
本発明は、演出表示を行う液晶表示装置を備えた遊技機に関し、特に、遊技機の前面にスピーカを備えることで遊技者により臨場感のある音による演出を行う遊技機に関する。
【背景技術】
【０００２】
従来のスロットマシンは、上部パネル及び下部パネルにスピーカを備えているのが一般的である。さらに、上部パネルに設けられている液晶表示装置によって、多彩な演出が行われている。遊技者は、液晶表示装置によって行われる演出やスピーカからの音によって小役や特別役の当選を知ることができる。
【０００３】
また、液晶表示装置による演出に伴った音の演出をするためにスピーカは、ある程度の音域や音質、音量が求められ、それなりの大きさを必要とする。さらに、遊技者に対して満足な遊技を提供するために、液晶表示装置による演出を多様化させると共に、演出用の画像表示に合わせた音による演出を高めるために、今まで以上の音域や音質、音量を必要とされる。
【０００４】
次に従来のスロットマシンの外観構造を図５を参照して説明する。
本スロットマシン１００は、遊技者に面するフロントドア１０１と、フロントドア１０１が開閉可能に取り付けられた筐体１０２とを備えて構成されている。
【０００５】
フロントドア１０１は、機械的に強固な硬質プラスチックで成形された上部パネル１０３と中部パネル１０４及び下部パネル１０５とを備えて構成されている。
【０００６】
上部パネル１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【０００７】
中部パネル１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【０００８】
さらに中部パネル１０４の下端には、遊技者が操作するための操作部１０４ｃが設けられ、操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３が設けられている。
【０００９】
さらに、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると施錠機構（図示略）を解除し、フロントドア１０１を筐体１０２から開くことが可能となっている。
【００１０】
下部パネル１０５には、本スロットマシン１００のゲーム内容を紹介等するための画像（図示略）が描かれており、更に遊技者の獲得した枚数の遊技メダルを払い出すための排出口１０５ａ及び受け皿１０５ｂと、スピーカが取り付けられた放音部１０５ｃが設けられている。
【００１１】
また、中部パネルに液晶表示装置である液晶パネルを配置して中部パネルの全面で液晶表示することで多彩な演出を行うスロットマシンがある（特許文献１参照）。
【特許文献１】特開平０７−１２４２９０号公報
【発明の開示】
【発明が解決しようとする課題】
【００１２】
しかしながら、従来のスロットマシンに設置されているスピーカは、ある程度の大きさを必要とする。さらに、スピーカを大きくすることで液晶表示装置による多様化された液晶表示の演出に一致した幅広い音域、音質、音量の音を得ることができるが、スピーカを大きくしてしまうと液晶表示装置の大きさや中部パネルの大きさが制限されてしまうといった問題がある。
【００１３】
また、スロットマシン及びパチンコ機に設けられている液晶表示装置とスピーカが離れた位置に設置されているため、液晶表示による演出とスピーカによる音の演出とが一致しない場合がある。
【００１４】
本発明は係る問題に鑑みてなされたものであり、可変表示部の前面もしくは左右両側に透明スピーカを設けることで、透明スピーカが遊技者に対して正面の位置になり、遊技者に対してより臨場感のある音の演出を行うことができる遊技機を提供することを目的とする。
【課題を解決するための手段】
【００１５】
上記目的を達成するために、請求項１記載の遊技機は、複数の図柄を可変表示する可変表示部と、該可変表示部を透視可能なように可変表示部の前面に取り付けられる枠体とを有する遊技機において、音を出力する板状の振動板を有するパネル型スピーカと、パネル型スピーカを支持するための支持部材とを備え、支持部材によってパネル型スピーカを枠体に取り付け、遊技機の演出に関連する音を出力することを特徴とする。
【００１６】
請求項２記載の発明は、請求項１記載の遊技機であって、振動板及び支持部材は透明部材で構成されていることを特徴とする。
【００１７】
請求項３記載の発明は、請求項１または２記載の遊技機であって、パネル型スピーカは、可変表示部の全面もしくは左右両側に配置されていることを特徴とする。
【００１８】
請求項４記載の発明は、請求項１から３のいずれか１項に記載の遊技機であって、パネル型スピーカ及び支持部材は、薄膜状であることを特徴とする。
【００１９】
請求項５記載の発明は、請求項４記載の遊技機であって、可変表示部の左右両側に配置されたパネル型スピーカは、左右両側もしくは片側のみから音を出力することができることを特徴とする。
【００２０】
請求項６記載の発明は、請求項１から５のいずれか１項に記載の遊技機であって、枠体は、全面に画像表示するための液晶表示手段を有することを特徴とする。
【発明の効果】
【００２１】
以上の説明から、本発明の遊技機は、可変表示部の前面もしくは左右両側にパネル型スピーカを設けることで、遊技者に対して正面に位置することとなり、遊技者は正面からの音の出力により、今まで以上に臨場感のある音の演出を体感することができる。
さらに、パネル型スピーカは、透明部材で構成され、薄膜状であることから、画像表示を行う液晶表示装置に前面に設置しても、画像表示の目視を妨げることがないため、遊技者は、画像表示による演出と音による演出を同時に体感することができる。
【発明を実施するための最良の形態】
【００２２】
次に添付図面を参照して本発明の実施形態を説明する。
図１は、本発明の実施形態におけるスロットマシンの構成を示した図である。
本発明のスロットマシン２００は、遊技者に面するフロントドア２０１とフロントドア２０１が開閉可能に取り付けられた筐体２０２とを備えて構成されている。フロントドア２０１は、上部パネル２０３と中部パネル２０４及び下部パネル２０５とを備えて構成されている。
【００２３】
上部パネル２０３には、上部ランプと呼ばれる演出用ランプ２０６が取り付けられている。中部パネル２０４は、図３に示す従来のスロットマシンよりも面積が拡大されており、回胴リールＬ１，Ｌ２，Ｌ３を目視することができる透過窓２０８と透過窓２０８部分を含めて全面液晶表示することができる液晶表示装置２０７が設けられている。
また、透過窓２０８部分の画像表示に関しては、遊技者が回胴リールＬ１，Ｌ２，Ｌ３に描かれた図柄の識別を妨げないような画像表示を行う。
【００２４】
さらに、透過窓２０８の両側に透明スピーカ２０４Ｌ，２０４Ｒを設けている。透明スピーカ２０４Ｌ，２０４Ｒは、液晶表示装置２０７に設置しても液晶による演出表示を妨げるといったことがなく、透明スピーカ２０４Ｌ，２０４Ｒ部分も液晶表示装置２０７による液晶の演出を目視することができる。
【００２５】
さらに、中部パネル２０４の下端には、遊技者が操作するための操作部２１３が設けられ、操作部２１３には、スロットマシンゲームを行うのに必要な遊技メダルを投入するためのメダル投入部２１２と、１ゲーム当たりのメダル数を提示するためのベットボタン２０９，２１０，２１１と、１ゲームの開始を指示するためのスタートレバー２１４と、回転中の回胴リールＬ１，Ｌ２，Ｌ３とを個別に停止させるためのストップボタン２１５Ｌ，２１５Ｃ，２１５Ｒが設けられている。
【００２６】
さらに、メダル投入部２１２の近傍に、フロントドア２０１を開錠するための鍵穴２１６が設けられている。そして、遊技場側の事業者や管理者が、鍵穴２１６に正規の鍵を挿入して開錠操作すると施錠機構（図示略）を解除し、フロントドア２０１を筐体２０２から開くことが可能となっている。
【００２７】
下部パネル２０５には、本スロットマシン２００のゲーム内容を紹介等するための画像（図示略）が描かれており、さらに遊技者の獲得した枚数の遊技メダルを払い出すための排出口２１７及び受皿２１８と、スピーカが取り付けられた放音部２１９が設けられている。
【００２８】
次に、図２を参照して透明スピーカの構成について説明する。
図２に示す透明スピーカの構成図は、図１に示すＸＹにて切断した図である。
透明スピーカとは、例としてディスプレイの前面にＰＥＴ（ポリエチレン・テレフタレート）製のフィルムを貼り、ディスプレイとの間にできた空気室内の空気をドライバで動かしてフィルムを振動させるものである。
【００２９】
中部パネル２０４に配置された透明スピーカ２０４Ｌ，２０４Ｒは、自ら振動する振動板４００と振動板４００が振動することにより空気圧の変動によって振動する透明振動板４０１、透明枠４０３から構成されている。透明振動板４０１は、透明枠４０３によって一定の張力を保たれている。また、透明振動板４０１と透明枠４０３によって閉空間である空隙４０２を形成する。
【００３０】
透明スピーカ２０４Ｌ，２０４Ｒは、振動板４００が振動することにより透明枠４０３の空隙内４０２の空気を振動させ、空気の振動により透明振動板４０１が振動することによって音を発生させることができる。
【００３１】
透明スピーカ２０４Ｌ，２０４Ｒを中部パネル２０４に設置することで、遊技者の前面に位置した状態となる。これにより、従来のような上部パネル部分の設置されていたスピーカよりも遊技者は、臨場感のある音を体感することができる。さらに、ＡＴ（アシスト・タイム）機能のような特別遊技では、遊技者にストップボタン２１５Ｌ，Ｃ，Ｒの押し順を告知する場合、例えばストップボタン２１５Ｒから押す場合には、透明スピーカ２０４Ｒから音を出すことで、遊技者に対して押し順を告知する。
【００３２】
次に図３、図４を参照して透明スピーカを備えた弾球遊技機であるパチンコ機の構成を説明する。
図３は、パチンコ機の正面図である。図４は、パチンコ機を裏面から見た背面図である。
パチンコ機ＰＭは、外郭方形枠サイズに構成されて縦向きの固定保持枠を成す外郭１の開口前面に、これに合わせた方形枠サイズに構成されて開閉搭載用の前枠２が互いの正面左上下に配設されたヒンジ部材３Ａ,３Ｂにより横開き開閉及び着脱可能に取り付けられ、正面右側に設けられた施錠装置４を利用して外枠１と係合された閉鎖状態で遊技供される。
【００３３】
前枠２の正面側には、前枠２の前側面域に合わせた方形状のガラス扉５、および遊技球を貯留して整列させる上球皿６が、ともに横開き開閉および着脱が可能に組みつけられており、常に施錠装置４および図示しないロック機構を利用して前枠２の前面を覆う閉止状態で保持される。前枠２の下部には下球皿７および遊技球の発射操作を行う操作ハンドル８が取り付けられている。
【００３４】
遊技盤２０は、表面にセルが貼り付けられた化粧板２１の前面側に、帯状の外レール２２Ａ及び内レール２２Ｂが円弧状に固設され、この内側に遊技領域ＰＡが区画される。遊技領域ＰＡには多数本の遊技釘とともに、一般入賞具２３や始動入賞具２４並びに大入賞口２５などの入賞具、周囲に飾り部を有した図柄表示装置２７などが設けられている。さらに、図柄表示装置２７の前面には透明スピーカ５００が配置されている。透明スピーカ５００は、遊技者が図柄表示装置２７に設けられている画像表示をするための液晶表示装置や回胴装置であるリールの目視を妨げることをなく図柄表示装置２７の前面から音を出力することができる。
また、透明スピーカ５００は、図柄表示装置２７の全面もしくは図柄表示装置２７より小さいものを複数配置してもよい。
【００３５】
遊技領域ＰＡの下端には入賞具に入賞せずに落下した遊技球を排出させるアウト口２６が設けられている。入賞具に落下した遊技球（「セーフ球」という）は、各入賞具に設けられた入賞検出センサで検出され、化粧板２１を貫通するセーフ球通路孔を通って遊技盤２０の裏面側に排出される。また、アウト口２６に集められたアウト球は化粧板２１を貫通するアウト球通路孔を通って遊技盤２０の裏面側に排出される。
【００３６】
前枠２の裏面下部には打球発射装置９が取り付けられており、打球発射装置９と遊技盤２０との間には、打球発射装置９によって打ち出された遊技球を遊技盤２０の外レール２２Ａに向けて案内する発射レールや、効果音を発生させるスピーカ等が取り付けられている。発射レールやスピーカ等は上球皿６の裏側に位置する前枠２の中間領域（「遊技補助盤」と称される）に取り付けられており、常には閉鎖状態に保持される上球皿６によりその表面側が覆われている。
【００３７】
また、前枠２の裏側には、裏セット盤ＢＳＰが上下のヒンジ１８で横開き開閉および着脱が可能に装備され、常には図示しない閉鎖レバーを利用して遊技盤２０の裏面を覆うように閉鎖保持される。裏セット盤ＢＳＰは、全体として収容枠の背面外郭サイズよりも多きめの縦長方形形状を成し、中央に遊技盤２０から突出する図示しない画像制御基板を受容する窓口３１を有して一体成形された基枠体（図示略）をベースとして構成される。
【００３８】
裏セット盤ＢＳＰには、窓口３１の上部に装備されて遊技球の貯留・供給処理を行う球貯留供給機構４０や、窓口３１の右側方に装備されて球貯留供給機構４０から導かれる遊技球の払い出し処理を行う賞球払出機構５０などの賞球機構が設けられるとともに、賞球払出機構５０の下方に位置して同機構５０から払い出された遊技球（「賞球」という）を上・下の球皿６,７に排出するための賞球払出経路６０、窓口３１の下方に位置して遊技盤２０の裏面側に排出されるアウト球およびセーフ球を集合させ、遊技施設側の回収バケットに排出させる図示しない遊技済み球排出経路などが形成されている。
【００３９】
また、裏セット盤ＢＳＰの裏面側には、このパチンコ機の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継等を行う中継基板９５、遊技機の作動状態を遊技施設側に出力するためのターミナル基板９６などの各種回路基板や賞球カセット５３などの電子部品が取り付けられ、各機器が図示しないワイヤーハーネスで接続される。
【００４０】
パチンコ機ＰＭは、上球皿６およびガラス扉が閉止施錠された状態（図３に示す状態）で遊技に供され、上球皿６に遊技球を貯留させて操作ハンドル８を回動操作することにより遊技が開始される。操作ハンドル８の操作レバーが回動操作されると、上球皿６に貯留した遊技球がこの球皿に装備された球送り装置によって１球ずつ発射レール上に送出され、打球発射装置９のハンマーに打ち出されて遊技盤２０の遊技領域ＰＡに導かれ、以降パチンコゲームが展開される。
【００４１】
なお、本実施例では、スロットマシン及びパチンコ機を用いて説明したが、例えば、スロットマシン、パチンコ機以外の箱形形状の遊技機に用いても良い。
【図面の簡単な説明】
【００４２】
【図１】本発明の実施形態におけるスロットマシンの外観構造を示した図である。
【図２】本発明の実施形態における透明スピーカの断面を示した図である。
【図３】本発明の実施形態におけるパチンコ機の外観構造を示した図である。
【図４】本発明の実施形態におけるパチンコ機を裏面から見た背面図である。
【図５】従来のスロットマシンの外観構造を示した平面図である。
【符号の説明】
【００４３】
２００    スロットマシン
２０１    フロントドア
２０２    筐体
２０３    上部パネル
２０３Ｒ，２０３Ｌ    透明スピーカ
２０４    中部パネル
２０５    下部パネル
２０６    ランプ
２０７    液晶表示装置
２０８    透過窓
３００    回胴装置
４００    振動板
４０１    透明振動板
４０２    空隙
４０３    透明枠
【図１】
2005110942.tif 000003
【図２】
2005110942.tif 000004
【図３】
2005110942.tif 000005
【図４】
2005110942.tif 000006
【図５】
2005110942.tif 000007